【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
複数のコンテンツIDと、前記コンテンツIDに対応するコンテンツデータを記憶するコンテンツデータ記憶手段と、
前記コンテンツIDに関連する関連情報を記憶するメタデータ記憶手段と、
前記メタデータ記憶手段を参照し、選択された前記コンテンツIDに関連する関連情報を抽出する抽出手段と、
前記抽出手段により抽出された前記関連情報に基づいて、前記メタデータ記憶手段を参照し、前記選択されたコンテンツIDに関連する他のコンテンツIDを含むプレイリストを生成するプレイリスト生成手段と
を備える情報処理装置。
【請求項２】
コンテンツデータを再生する再生手段と、
前記コンテンツデータ記憶手段を参照し、前記プレイリスト生成手段により生成された前記プレイリストに基づいたコンテンツデータの再生を制御する再生制御手段と
をさらに備える請求項１に記載の情報処理装置。
【請求項３】
前記選択されたコンテンツIDとは、前記再生手段による再生中のコンテンツデータに対応するコンテンツIDである
請求項２に記載の情報処理装置。
【請求項４】
前記コンテンツデータ記憶手段が記憶する前記コンテンツIDを外部サーバに送信する送信手段と、
前記送信手段により送信された前記コンテンツIDに応じて、前記外部サーバから前記コンテンツIDに関連する前記関連情報を受信する受信手段と
をさらに備え、
前記メタデータ記憶手段は、前記受信手段により受信された前記関連情報を記憶する
請求項３に記載の情報処理装置。
【請求項５】
ポータブル機器と接続する接続手段と、
前記接続手段を介して、前記コンテンツID、前記コンテンツIDに対応するコンテンツデータ、および、前記コンテンツIDに関連する関連情報を前記ポータブル機器に転送する転送手段と
をさらに備える請求項４に記載の情報処理装置。
【請求項６】
前記関連情報は、前記コンテンツIDが複数関連付けられたサブジャンルIDである
請求項５に記載の情報処理装置。
【請求項７】
前記関連情報は、前記コンテンツIDに対応するコンテンツデータの解析結果である
請求項２に記載の情報処理装置。
【請求項８】
前記プレイリスト生成手段は、前記コンテンツデータの解析結果が類似する他のコンテンツIDを含むプレイリストを生成する
請求項７に記載の情報処理装置。
【請求項９】
複数のコンテンツIDと、前記コンテンツIDに対応するコンテンツデータを記憶するコンテンツデータ記憶手段と、
前記コンテンツIDに関連する関連情報を記憶するメタデータ記憶手段とを備える情報処理装置が、
前記メタデータ記憶手段を参照し、選択された前記コンテンツIDに関連する関連情報を抽出し、
抽出された前記関連情報に基づいて、前記メタデータ記憶手段を参照し、前記選択されたコンテンツIDに関連する他のコンテンツIDを含むプレイリストを生成するステップを
含む情報処理方法。
【請求項１０】
複数のコンテンツIDと、前記コンテンツIDに対応するコンテンツデータを記憶するコンテンツデータ記憶手段と、
前記コンテンツIDに関連する関連情報を記憶するメタデータ記憶手段とを備えるコンピュータに、
前記メタデータ記憶手段を参照し、選択された前記コンテンツIDに関連する関連情報を抽出し、
抽出された前記関連情報に基づいて、前記メタデータ記憶手段を参照し、前記選択されたコンテンツIDに関連する他のコンテンツIDを含むプレイリストを生成するステップを
含む処理を実行させるためのプログラム。
【手続補正２】
【補正対象書類名】明細書
【補正対象項目名】００１３
【補正方法】変更
【補正の内容】
【００１３】
本発明の情報処理装置は、複数のコンテンツIDと、前記コンテンツIDに対応するコンテンツデータを記憶するコンテンツデータ記憶手段と、前記コンテンツIDに関連する関連情報を記憶するメタデータ記憶手段と、前記メタデータ記憶手段を参照し、選択された前記コンテンツIDに関連する関連情報を抽出する抽出手段と、前記抽出手段により抽出された前記関連情報に基づいて、前記メタデータ記憶手段を参照し、前記選択されたコンテンツIDに関連する他のコンテンツIDを含むプレイリストを生成するプレイリスト生成手段とを備える。
【手続補正３】
【補正対象書類名】明細書
【補正対象項目名】００１４
【補正方法】変更
【補正の内容】
【００１４】
コンテンツデータを再生する再生手段と、前記コンテンツデータ記憶手段を参照し、前記プレイリスト生成手段により生成された前記プレイリストに基づいたコンテンツデータの再生を制御する再生制御手段とをさらに備えることができる。
【手続補正４】
【補正対象書類名】明細書
【補正対象項目名】００１５
【補正方法】変更
【補正の内容】
【００１５】
前記選択されたコンテンツIDとは、前記再生手段による再生中のコンテンツデータに対応するコンテンツIDである。
【手続補正５】
【補正対象書類名】明細書
【補正対象項目名】００１６
【補正方法】変更
【補正の内容】
【００１６】
前記コンテンツデータ記憶手段が記憶する前記コンテンツIDを外部サーバに送信する送信手段と、前記送信手段により送信された前記コンテンツIDに応じて、前記外部サーバから前記コンテンツIDに関連する前記関連情報を受信する受信手段とをさらに備え、前記メタデータ記憶手段は、前記受信手段により受信された前記関連情報を記憶する
ことができる。
【手続補正６】
【補正対象書類名】明細書
【補正対象項目名】００１７
【補正方法】変更
【補正の内容】
【００１７】
ポータブル機器と接続する接続手段と、前記接続手段を介して、前記コンテンツID、前記コンテンツIDに対応するコンテンツデータ、および、前記コンテンツIDに関連する関連情報を前記ポータブル機器に転送する転送手段とをさらに備えることができる。
【手続補正７】
【補正対象書類名】明細書
【補正対象項目名】００１８
【補正方法】変更
【補正の内容】
【００１８】
前記関連情報は、前記コンテンツIDが複数関連付けられたサブジャンルIDである。
【手続補正８】
【補正対象書類名】明細書
【補正対象項目名】００１９
【補正方法】変更
【補正の内容】
【００１９】
前記関連情報は、前記コンテンツIDに対応するコンテンツデータの解析結果である。
【手続補正９】
【補正対象書類名】明細書
【補正対象項目名】００２０
【補正方法】変更
【補正の内容】
【００２０】
前記プレイリスト生成手段は、前記コンテンツデータの解析結果が類似する他のコンテンツIDを含むプレイリストを生成することができる。
【手続補正１０】
【補正対象書類名】明細書
【補正対象項目名】００２１
【補正方法】変更
【補正の内容】
【００２１】
本発明の情報処理方法は、複数のコンテンツIDと、前記コンテンツIDに対応するコンテンツデータを記憶するコンテンツデータ記憶手段と、前記コンテンツIDに関連する関連情報を記憶するメタデータ記憶手段とを備える情報処理装置が、前記メタデータ記憶手段を参照し、選択された前記コンテンツIDに関連する関連情報を抽出し、抽出された前記関連情報に基づいて、前記メタデータ記憶手段を参照し、前記選択されたコンテンツIDに関連する他のコンテンツIDを含むプレイリストを生成するステップを含む。
【手続補正１１】
【補正対象書類名】明細書
【補正対象項目名】００２２
【補正方法】変更
【補正の内容】
【００２２】
本発明のプログラムは、複数のコンテンツIDと、前記コンテンツIDに対応するコンテンツデータを記憶するコンテンツデータ記憶手段と、前記コンテンツIDに関連する関連情報を記憶するメタデータ記憶手段とを備えるコンピュータに、前記メタデータ記憶手段を参照し、選択された前記コンテンツIDに関連する関連情報を抽出し、抽出された前記関連情報に基づいて、前記メタデータ記憶手段を参照し、前記選択されたコンテンツIDに関連する他のコンテンツIDを含むプレイリストを生成するステップを含む処理を実行させる。
【手続補正１２】
【補正対象書類名】明細書
【補正対象項目名】００２３
【補正方法】変更
【補正の内容】
【００２３】
本発明においては、コンテンツIDに関連する関連情報を記憶するメタデータ記憶手段が参照されて、選択された前記コンテンツIDに関連する関連情報が抽出される。そして、抽出された前記関連情報に基づいて、前記メタデータ記憶手段が参照されて、前記選択されたコンテンツIDに関連する他のコンテンツIDを含むプレイリストが生成される。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】
【手続補正５０】
【補正対象書類名】明細書
【補正対象項目名】００６１
【補正方法】削除
【補正の内容】
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】削除
【補正の内容】
【手続補正５３】
【補正対象書類名】明細書
【補正対象項目名】００６４
【補正方法】削除
【補正の内容】
【手続補正５４】
【補正対象書類名】明細書
【補正対象項目名】００６６
【補正方法】削除
【補正の内容】
【手続補正５５】
【補正対象書類名】明細書
【補正対象項目名】００６７
【補正方法】削除
【補正の内容】
【手続補正５６】
【補正対象書類名】明細書
【補正対象項目名】００６８
【補正方法】削除
【補正の内容】
【手続補正５７】
【補正対象書類名】明細書
【補正対象項目名】００６９
【補正方法】削除
【補正の内容】
【手続補正５８】
【補正対象書類名】明細書
【補正対象項目名】００７０
【補正方法】削除
【補正の内容】
【手続補正５９】
【補正対象書類名】明細書
【補正対象項目名】００７１
【補正方法】削除
【補正の内容】
【手続補正６０】
【補正対象書類名】明細書
【補正対象項目名】００７２
【補正方法】削除
【補正の内容】
【手続補正６１】
【補正対象書類名】明細書
【補正対象項目名】００７３
【補正方法】削除
【補正の内容】
【手続補正６２】
【補正対象書類名】明細書
【補正対象項目名】００７４
【補正方法】削除
【補正の内容】
【手続補正６３】
【補正対象書類名】明細書
【補正対象項目名】００７５
【補正方法】削除
【補正の内容】
【手続補正６４】
【補正対象書類名】明細書
【補正対象項目名】００７６
【補正方法】削除
【補正の内容】
【手続補正６５】
【補正対象書類名】明細書
【補正対象項目名】００７７
【補正方法】削除
【補正の内容】
【手続補正６６】
【補正対象書類名】明細書
【補正対象項目名】００７８
【補正方法】削除
【補正の内容】
【手続補正６７】
【補正対象書類名】明細書
【補正対象項目名】００７９
【補正方法】削除
【補正の内容】
【手続補正６８】
【補正対象書類名】明細書
【補正対象項目名】００８０
【補正方法】削除
【補正の内容】
【手続補正６９】
【補正対象書類名】明細書
【補正対象項目名】００８１
【補正方法】削除
【補正の内容】
【手続補正７０】
【補正対象書類名】明細書
【補正対象項目名】００８２
【補正方法】削除
【補正の内容】
【手続補正７１】
【補正対象書類名】明細書
【補正対象項目名】００８３
【補正方法】削除
【補正の内容】
【手続補正７２】
【補正対象書類名】明細書
【補正対象項目名】００８４
【補正方法】削除
【補正の内容】
【手続補正７３】
【補正対象書類名】明細書
【補正対象項目名】００８５
【補正方法】削除
【補正の内容】
【手続補正７４】
【補正対象書類名】明細書
【補正対象項目名】００８６
【補正方法】削除
【補正の内容】
【手続補正７５】
【補正対象書類名】明細書
【補正対象項目名】００８７
【補正方法】削除
【補正の内容】
【手続補正７６】
【補正対象書類名】明細書
【補正対象項目名】００８８
【補正方法】削除
【補正の内容】
【手続補正７７】
【補正対象書類名】明細書
【補正対象項目名】００８９
【補正方法】削除
【補正の内容】
【手続補正７８】
【補正対象書類名】明細書
【補正対象項目名】００９０
【補正方法】削除
【補正の内容】
【手続補正７９】
【補正対象書類名】明細書
【補正対象項目名】００９１
【補正方法】削除
【補正の内容】
【手続補正８０】
【補正対象書類名】明細書
【補正対象項目名】００９２
【補正方法】削除
【補正の内容】
【手続補正８１】
【補正対象書類名】明細書
【補正対象項目名】００９３
【補正方法】削除
【補正の内容】
【手続補正８２】
【補正対象書類名】明細書
【補正対象項目名】００９４
【補正方法】削除
【補正の内容】
【手続補正８３】
【補正対象書類名】明細書
【補正対象項目名】００９５
【補正方法】削除
【補正の内容】
【手続補正８４】
【補正対象書類名】明細書
【補正対象項目名】００９６
【補正方法】削除
【補正の内容】
【手続補正８５】
【補正対象書類名】明細書
【補正対象項目名】００９７
【補正方法】削除
【補正の内容】